【手続補正書】
【提出日】平成18年5月18日(2006.5.18)
【手続補正１】
【補正対象書類名】明細書
【補正対象項目名】特許請求の範囲
【補正方法】変更
【補正の内容】
【特許請求の範囲】
【請求項１】
平行配置された一対のチャック台間に張力が負荷された緊張材が渡設されると共にその台間に生コンクリートが注入硬化されるプレストレストコンクリート構造体の製造装置であって、
前記チャック台間に組み立て自在に渡設される一対の反力ビーム部材と、前記反力ビーム部材の基端にジャッキ受部材を介して着脱自在に取り付けられその伸縮するシリンダ軸の先端が前記チャック台に当接されるジャッキ部材と、
を有し、しかも、前記ジャッキ受部材にその一端側が回動自在に軸支され、回動された他端側が前記チャック台に形成されたガイド溝に嵌合されて前記シリンダ軸の伸縮方向にスライド自在に保持されるガイド部材を備えることを特徴とするプレストレストコンクリート構造体の製造装置。
【請求項２】
前記反力ビーム部材が所定長さに設定された複数の分割ビーム部材からなり、前記分割ビーム部材を組み合わせて結合してその全長が設定されることを特徴とする請求項１に記載のプレストレストコンクリート構造体の製造装置。
【請求項３】
前記チャック台の下端面に地盤との接触抵抗を軽減するスライド部材が配置されていることを特徴とする請求項１又は２に記載のプレストレストコンクリート構造体の製造装置。
【請求項４】
前記ジャッキ受部材が前記ビーム部材の基端に嵌合部を介して着脱自在に配置されていることを特徴とする請求項１〜３の内いずれか１項に記載のプレストレストコンクリート構造体の製造装置。
【請求項５】
前記反力ビーム部材がその断面が円形又は矩形に形成され、これら複数の反力ビーム部材をビーム結合部材を介して上下方向に多段結合させたことを特徴とする請求項１〜４の内いずれか１項に記載のプレストレストコンクリート構造体の製造装置。
【請求項６】
前記ビーム結合部材の下端面側に地盤との高さを調節するレベル調整部材が設けられていることを特徴とする請求項１〜５の内いずれか１項に記載のプレストレストコンクリート構造体の製造装置。
【手続補正２】
【補正対象書類名】明細書
【補正対象項目名】００１３
【補正方法】変更
【補正の内容】
【００１３】
【課題を解決するための手段】
（１）前記従来の課題を解決する本発明のプレストレストコンクリート構造体の製造装置は、平行配置された一対のチャック台間に張力が負荷された緊張材が渡設されると共にその台間に生コンクリートが注入硬化されるプレストレストコンクリート構造体の製造装置であって、前記チャック台間に組み立て自在に渡設される一対の反力ビーム部材と、前記反力ビーム部材の基端にジャッキ受部材を介して着脱自在に取り付けられその伸縮するシリンダ軸の先端が前記チャック台に当接されるジャッキ部材と、を有し、しかも、前記ジャッキ受部材にその一端側が回動自在に軸支され、回動された他端側が前記チャック台に形成されたガイド溝に嵌合されて前記シリンダ軸の伸縮方向にスライド自在に保持されるガイド部材を備えて構成されている。これによって、プレストレストコンクリート構造体の製造装置を構成する各チャック台、反力ビーム部材、ジャッキ部材をそれぞれ分解して工事現場などに運搬でき、工事現場の施工条件に応じて所定の配置に組み立てることができ、プレストレストコンクリート構造体の施工を効率的に行うことができる。また、ガイド部材によって、チャック台間に渡設された緊張材に安定した状態でストレスを負荷することが容易となり、現場施工を安全かつ効率的に行うことができる。こうして、汎用性と施工性に優れたプレストレストコンクリート構造体の製造装置を提供できる。
（２）本願発明は、前記（１）において、前記反力ビーム部材が所定長さに設定された複数の分割ビーム部材からなり、前記分割ビーム部材を組み合わせて結合してその全長が設定されることにも特徴を有する。これによって、工事現場などで種々の寸法や形態の施工体に対応して型枠を適宜組み合わせることが容易にでき、土木建設工事における施工性やメンテナンス性をさらに高めることができる。
（３）本発明は前記（１）又は（２）において、前記チャック台の下端面に地盤との接触抵抗を軽減するスライド部材が配置されていることにも特徴を有している。これによって、施工体の左右両側に配置されるジャッキ部材のシリンダ軸を伸縮させる操作を円滑に行うことができ、左右均等にストレスを負荷することができ、品質安定性に優れたプレストレストコンクリート構造体を製造できる。
（４）本発明は前記（１）〜（３）において、前記ジャッキ受部材が前記ビーム部材の基端に嵌合部を介して着脱自在に配置されるようにしてもよい。これによって、反力ビーム部材の着脱や組み合わせ設定の操作を容易にして、プレストレストコンクリート構造体を製造する際の生産性を向上させることができる。
（５）本発明は前記（１）〜（４）において、前記反力ビーム部材がその断面が円形又は矩形に形成され、これら複数の反力ビーム部材をビーム結合部材を介して上下方向に多段結合させたことにも特徴を有する。これによって、施工体のサイズや緊張材への負荷の大きさに応じて、所定の段数に設定して、プレストレストコンクリート構造体を効率的に製造することができる。
（６）本発明は前記（１）〜（５）において、前記ビーム結合部材の下端面側に地盤との高さを調節するレベル調整部材が設けられているようにしてもよい。これによって、現場施工などにおいて、プレストレストコンクリート構造体を製造する基盤や地盤に段差や凹凸などがある場合でも、施工体を水平状態に保持することが容易にでき、均一なストレスを緊張材に負荷して品質安定性に優れたプレストレストコンクリート構造体を作製することができる。
【手続補正３】
【補正対象書類名】明細書
【補正対象項目名】００３９
【補正方法】変更
【補正の内容】
【００３９】
【発明の効果】
請求項１に記載の発明によれば、製造装置を構成する各チャック台、反力ビーム部材、ジャッキ部材を分解して工事現場などに運搬でき、工事現場の施工条件に応じて所定の配置に組み立てることができ、プレストレストコンクリート構造体の施工を効率的に行うことができる。また、ガイド部材を備えるので、チャック台間に渡設された緊張材に安定した状態でストレスを負荷することが容易となり、現場施工を安全かつ効率的に行うことができる。こうして、汎用性と施工性に優れたプレストレストコンクリート構造体の製造装置を提供できる。
【手続補正４】
【補正対象書類名】明細書
【補正対象項目名】００４０
【補正方法】削除
【補正の内容】
【手続補正５】
【補正対象書類名】明細書
【補正対象項目名】００４１
【補正方法】変更
【補正の内容】
【００４１】
請求項２に記載の発明によれば、工事現場などで種々の寸法や形態の施工体に対応して型枠を適宜組み合わせることが容易にでき、土木建設工事における施工性やメンテナンス性をさらに高めることができる。
【手続補正６】
【補正対象書類名】明細書
【補正対象項目名】００４２
【補正方法】変更
【補正の内容】
【００４２】
請求項３に記載の発明によれば、施工体の左右両側に配置されるジャッキ部材のシリンダ軸を伸縮させる操作を円滑に行うことができ、左右均等にストレスを負荷することができ、品質安定性に優れたプレストレストコンクリート構造体を製造できる。
【手続補正７】
【補正対象書類名】明細書
【補正対象項目名】００４３
【補正方法】変更
【補正の内容】
【００４３】
請求項４に記載の発明によれば、反力ビーム部材の着脱や組み合わせ設定の操作を容易にして、プレストレストコンクリート構造体を製造する際の生産性を向上させることができる。
【手続補正８】
【補正対象書類名】明細書
【補正対象項目名】００４４
【補正方法】変更
【補正の内容】
【００４４】
請求項５に記載の発明によれば、施工体のサイズや緊張材への負荷の大きさに応じて、所定の段数に設定して、プレストレストコンクリート構造体を効率的に製造することができる。
【手続補正９】
【補正対象書類名】明細書
【補正対象項目名】００４５
【補正方法】変更
【補正の内容】
【００４５】
請求項６に記載の発明によれば、プレストレストコンクリート構造体を製造する基盤や地盤に段差や凹凸などがある場合でも、施工体を水平状態に保持することが容易にでき、均一なストレスを緊張材に負荷して品質安定性に優れたプレストレストコンクリート構造体を作製することができる。